(57)【要約】  本発明は、リストに表示される例えば検索結果として取得されたWEBページの情報を並べ替えることができるようにしたプログラム、情報処理装置、情報処理方法に関する。検索サーバ２によるWEBページの検索結果がPC１により取得されたとき、検索結果として挙げられたWEBページに関する情報がPC１から情報提供サーバ３に対して送信され、各WEBページの利用状況の問い合わせが行われる。PC１においては、問い合わせに応じて情報提供サーバ３から送信されてきたアクセス数などの利用状況に従って、WEBページの順番が並び替えられ、並び替えられた順で、WEBページのタイトルがリストに表示される。リストから所定のタイトルが選択されたとき、選択されたタイトルのWEBページがWEBブラウザにより表示される。本発明は、パーソナルコンピュータに適用することができる。
2009150732.tif 000002
【特許請求の範囲】
【請求項１】
リンク先が設定されているリンク元情報を項目とするリストに、前記リンク元情報を表示するために用いる情報をサーバから、又は使用している電子計算機から取得し、
前記サーバ又は前記電子計算機から取得した情報に含まれる、前記リンク元情報に対して設定されている前記リンク先に関する情報を所定のサーバである並べ替え情報取得サーバに認識させ、前記リストに表示する前記リンク元情報の並び順の基準となる情報を前記並べ替え情報取得サーバから取得し、
前記並べ替え情報取得サーバから取得した情報に従って決定した並び順で前記リンク元情報を前記リストに表示させ、
前記リスト上で注目された前記リンク元情報に対して設定されているリンク先の情報を、前記リストの領域と異なる領域に表示させる
ステップを含む処理をコンピュータに実行させるプログラム。
【請求項２】
前記並べ替え情報取得サーバから取得される情報は、前記リンク先の情報としての各WEBページのアクセス数に関する情報であり、
前記リストには、アクセス数が多いもの、少ないものの順（降順、昇順を含む）に、前記リンク元情報としての各WEBページのタイトルが表示される
請求項１に記載のプログラム。
【請求項３】
前記並べ替え情報取得サーバから取得される情報は、前記リンク先の情報としての各WEBページの更新日時に関する情報であり、
前記リストには、更新日時の新しいもの、古いものの順（降順、昇順を含む）に、前記リンク元情報としての各WEBページのタイトルが表示される
請求項１に記載のプログラム。
【請求項４】
前記並べ替え情報取得サーバから取得される情報は、前記リンク先の情報としての各WEBページの更新日時に関する情報であり、
前記リストには、ユーザが指定する日時や期間に更新日時が属するものを前記リンク元情報の順のままに、又は、当該日時や期間に更新日時が属するものを更新日時の新しいもの、古いものの順（降順、昇順を含む）に、前記リンク元情報としての各WEBページのタイトルが表示される
請求項１に記載のプログラム。
【請求項５】
前記並べ替え情報取得サーバから取得される情報は、前記リンク先の情報としての各WEBページの記述に使用されている言語に関する情報であり、
前記リストには、前記リストにつき予め設定された表示順、又はユーザがリスト内の表示に関し設定した表示順に従い、前記リンク元情報としての各WEBページのタイトルが表示される
請求項１に記載のプログラム。
【請求項６】
前記並べ替え情報取得サーバから取得される情報は、前記リンク先の情報としての各WEBページの記述に使用されているドメインに関する情報であり、
前記リストには、前記リストにつき予め設定された表示順、又はユーザがリスト内の表示に関し設定した表示順に従い、前記リンク元情報としての各WEBページのタイトルが表示される
請求項１に記載のプログラム。
【請求項７】
リンク先が設定されているリンク元情報を項目とするリストに、前記リンク元情報を表示するために用いる情報をサーバから、又は使用している電子計算機から取得する第１の取得手段と、
前記サーバ又は前記電子計算機から取得された情報に含まれる、前記リンク元情報に対して設定されている前記リンク先に関する情報を所定のサーバである並べ替え情報取得サーバに認識させ、前記リストに表示する前記リンク元情報の並び順の基準となる情報を前記並べ替え情報取得サーバから取得する第２の取得手段と、
前記並べ替え情報取得サーバから取得された情報に従って決定した並び順で前記リンク元情報を前記リストに表示させるリスト表示制御手段と、
前記リスト上で注目された前記リンク元情報に対して設定されているリンク先の情報を、前記リストの領域と異なる領域に表示させるリンク先情報表示制御手段と
を備える情報処理装置。
【請求項８】
リンク先が設定されているリンク元情報を項目とするリストに、前記リンク元情報を表示するために用いる情報をサーバから、又は使用している電子計算機から取得し、
前記サーバ又は前記電子計算機から取得した情報に含まれる、前記リンク元情報に対して設定されている前記リンク先に関する情報を所定のサーバである並べ替え情報取得サーバに認識させ、前記リストに表示する前記リンク元情報の並び順の基準となる情報を前記並べ替え情報取得サーバから取得し、
前記並べ替え情報取得サーバから取得した情報に従って決定した並び順で前記リンク元情報を前記リストに表示させ、
前記リスト上で注目された前記リンク元情報に対して設定されているリンク先の情報を、前記リストの領域と異なる領域に表示させる
ステップを含む情報処理方法。
【発明の詳細な説明】
【技術分野】
【０００１】
本発明は、プログラム、情報処理装置、情報処理方法に関し、特に、リストに表示される例えば検索結果として取得されたWEBページの情報を並べ替えることができるようにしたプログラム、情報処理装置、情報処理方法に関する。
【背景技術】
【０００２】
近年、WEBページの検索をより簡単に行うことができるようになってきている。ユーザは、Internet Explorer（商標）などのWEBブラウザによって表示されるウインドウの上方のツールバーに設けられる入力ボックスにキーワードを入力し、検索の開始を指示することによって、検索サイトのトップページを経由することなく、検索結果の一覧を直接表示させることができる。【０００３】
特許文献１には、リンク元WEBページ表示部に表示されたリンクがクリックされることに応じて、リンク先のWEBページを、リンク元WEBページ表示部の隣に設けられているリンク先WEBページ表示部に表示させる技術が開示されている。【０００４】
【特許文献１】特開２００６−９２４４９号公報
【発明の開示】
【発明が解決しようとする課題】
【０００５】
検索結果の一覧に表示されるタイトルなどのWEBページの情報の並び順は検索エンジンのアルゴリズムに依存しているため、表示される並び順が、その検索を行ったユーザに適した並び順であるとは限らない。例えば、あるキーワードに関連のあるWEBページを、アクセス数の多いWEBページの順に見たい、新しく更新されたWEBページの順に見たい、といった要望もあり、検索エンジンのアルゴリズムにより挙げられるWEBページの並び順がユーザの要望を満たすものではないことがある。【０００６】
本発明はこのような状況に鑑みてなされたものであり、リストに表示される例えば検索結果として取得されたWEBページの情報を並べ替えることができるようにするものである。
【課題を解決するための手段】
【０００７】
本発明の一側面のプログラム、または情報処理方法は、リンク先が設定されているリンク元情報を項目とするリストに、前記リンク元情報を表示するために用いる情報をサーバから、又は使用している電子計算機から取得し、前記サーバ又は前記電子計算機から取得した情報に含まれる、前記リンク元情報に対して設定されている前記リンク先に関する情報を所定のサーバである並べ替え情報取得サーバに認識させ、前記リストに表示する前記リンク元情報の並び順の基準となる情報を前記並べ替え情報取得サーバから取得し、前記並べ替え情報取得サーバから取得した情報に従って決定した並び順で前記リンク元情報を前記リストに表示させ、前記リスト上で注目された前記リンク元情報に対して設定されているリンク先の情報を、前記リストの領域と異なる領域に表示させるステップを含む。【０００８】
電子計算機には、PC(Personal Computer)、PDA(Personal Digital Assistants)、ゲーム機、携帯電話機、携帯型音楽プレーヤ、光ディスク再生／録画機、カラオケ機などが含まれる。【０００９】
前記並べ替え情報取得サーバから取得される情報のひとつは、前記リンク先の情報としての各WEBページのアクセス数に関する情報であり、前記リストには、アクセス数が多いもの、少ないものの順（降順、昇順を含む）に、前記リンク元情報としての各WEBページのタイトルが表示されるようにすることができる。【００１０】
その他、前記並べ替え情報取得サーバから取得される情報は、前記リンク先の情報としての各WEBページの更新日時、使用されている言語、ドメイン名を構成している要素（例えば、.com、.jp、.cnなど）等の情報とすることが可能である。取得される情報が更新日時の場合、前記リストには、更新日時の新しいもの、古いものの順（降順、昇順を含む）に、前記リンク元情報としての各WEBページのタイトルが表示されるようにすることができる。【００１１】
また、ユーザが指定する日時や期間が存在する場合、前記リンク元情報の順のまま、又は当該指定日時や期間に更新日時が属するものを更新日時の新しいもの、古いものの順（降順、昇順を含む）に、前記リンク元情報としての各WEBページのタイトルが表示されるようにすることができる。【００１２】
使用されている言語、ドメイン名を構成している要素等に基づく表示については、リンク元情報を表示するリストにおいて予め設定されている表示順、又はユーザがリストに関し設定した表示順に、前記リンク元情報としての各WEBページのタイトルが表示されるようにすることができる。【００１３】
本発明の一側面の情報処理装置は、リンク先が設定されているリンク元情報を項目とするリストに、前記リンク元情報を表示するために用いる情報をサーバから、又は使用している電子計算機から取得する第１の取得手段と、前記サーバ又は前記電子計算機から取得された情報に含まれる、前記リンク元情報に対して設定されている前記リンク先に関する情報を所定のサーバである並べ替え情報取得サーバに認識させ、前記リストに表示する前記リンク元情報の並び順の基準となる情報を前記並べ替え情報取得サーバから取得する第２の取得手段と、前記並べ替え情報取得サーバから取得された情報に従って決定した並び順で前記リンク元情報を前記リストに表示させるリスト表示制御手段と、前記リスト上で注目された前記リンク元情報に対して設定されているリンク先の情報を、前記リストの領域と異なる領域に表示させるリンク先情報表示制御手段とを備える。【００１４】
本発明の一側面においては、リンク先が設定されているリンク元情報を項目とするリストに、前記リンク元情報を表示するために用いる情報がサーバから、又は使用している電子計算機から取得され、前記サーバ又は前記電子計算機から取得された情報に含まれる、前記リンク元情報に対して設定されている前記リンク先に関する情報を所定のサーバである並べ替え情報取得サーバに認識させ、前記リストに表示する前記リンク元情報の並び順の基準となる情報を前記並べ替え情報取得サーバから取得することが行われる。また、前記並べ替え情報取得サーバから取得された情報に従って決定された並び順で前記リンク元情報が前記リストに表示され、前記リスト上で注目された前記リンク元情報に対して設定されているリンク先の情報が、前記リストの領域と異なる領域に表示される。
【発明の効果】
【００１５】
本発明の一側面によれば、リストに表示される例えば検索結果として取得されたWEBページの情報を並べ替えることができる。
【図面の簡単な説明】
【００１６】
【図１】本発明の一実施形態に係る通信システムの構成例を示す図である。
【図２】PCのディスプレイに表示される画面の例を示す図である。
【図３】リストの表示の具体例を示す図である。
【図４】図１のPCの機能構成例を示すブロック図である。
【図５】通信システムにおいて行われる処理について説明するフローチャートである。
【符号の説明】
【００１７】
１  PC，  ２  検索サーバ，  ３  情報提供サーバ，  ４  WEBサーバ，  ５  ネットワーク，  ５１  検索部，  ５２  表示制御情報取得部，  ５３  リスト表示制御部，  ５４  WEBページ表示制御部
【発明を実施するための最良の形態】
【００１８】
図１は、本発明の一実施形態に係る通信システムの構成例を示す図である。【００１９】
図１に示されるように、この通信システムは、情報処理装置としてのPC(Personal Computer)１、検索サーバ２、情報提供サーバ３、およびWEBサーバ４が、インターネットなどよりなるネットワーク５を介して接続されることによって構成される。PCや各サーバの数は任意である。【００２０】
検索サーバ２は、キーワードなどに基づくWEBページの検索機能を提供するサーバであり、検索サービスを提供する事業者などによって管理される。検索サーバ２は、PC１からネットワーク５を介して送信されてきた検索要求に基づいてWEBページの検索を行い、検索結果を送信する。PC１から検索サーバ２に対する検索要求にはキーワードが含まれ、一方、検索サーバ２からPC１に対する検索結果には、所定の順番で並べられた各WEBページのタイトル、検索サマリー（要約）、URL(Uniform Resource Locator)などの情報が含まれる。【００２１】
情報提供サーバ３は、WEBページの調査会社などにより管理されるサーバである。情報提供サーバ３は、アクセス数、１アクセスあたりの閲覧ページ数、延べアクセス時間などの、WEBサーバ４により管理されているWEBページの利用状況に関する情報を管理し、PC１からの問い合わせに応じて、問い合わせのあったWEBページについての利用状況に関する情報をPC１に送信（提供）する。例えば、PC１から情報提供サーバ３に対する問い合わせ時には、検索サーバ２により検索結果として挙げられたWEBページの情報も送信されてくる。【００２２】
WEBサーバ４は、WEBページを管理するサーバであり、インターネットプロバイダなどによって管理される。WEBサーバ４は、PC１から要求されたWEBページを表示するためのHTML(Hyper Text Markup Language)ファイルなどをPC１に送信する。【００２３】
PC１はWEBページの閲覧を行うユーザにより利用される機器であり、WEBブラウザが搭載される。WEBページの閲覧を行うとき、ユーザは、例えばWEBブラウザを起動させて検索サーバ２にアクセスし、検索ページをディスプレイに表示させる。ユーザは、検索ページの入力欄にキーボードを操作するなどしてキーワードを入力し、そのキーワードと関連のあるWEBページの検索を検索サーバ２に行わせる。【００２４】
検索サーバ２による検索結果には、１０個や１００個などの所定の数のWEBページ毎の、タイトル、検索サマリー、URLなどが含まれており、このような情報からなる検索結果がネットワーク５を介してPC１に送信される。PC１は、検索サーバ２による検索結果を受信したとき、検索結果として挙げられた各WEBページのURLなどの識別情報をネットワーク５を介して情報提供サーバ３に送信し、各WEBページの利用状況を問い合わせる。この問い合わせに応じて、上述したように情報提供サーバ３からPC１に対して各WEBページの利用状況に関する情報が送信され、PC１により受信される。【００２５】
PC１には、WEBブラウザと連動し、検索サーバ２により検索されたWEBページのタイトルなどを項目とするリストを表示させるソフトウエアが搭載されている。例えば、マウスを操作するなどして、リストに表示されているタイトルの中から所定のタイトルがユーザにより選択されたとき、WEBサーバ４からその選択されたWEBページの情報がWEBブラウザにより取得され、タイトルが選択されたWEBページが表示される。リストに表示されるタイトルにはリンク先が設定されていることになる。【００２６】
PC１においては、リストに表示されるWEBページのタイトルの並び順が、情報提供サーバ３から送信されてきた利用状況に関する情報に従って制御されるようになされている。すなわち、PC１は、問い合わせに応じて情報提供サーバ３から送信されてきた利用状況に関する情報を受信したとき、検索サーバ２により挙げられたWEBページの並び順を利用状況に関する情報に従って並び替え、並び替えた順に、それぞれのWEBページのタイトルをリストに表示させる。【００２７】
例えば、検索サーバ２により挙げられたWEBページがアクセス数の多い順に並び替えられ、そのように並び替えられた順に、各WEBページのタイトルがリストに表示される。このように、情報提供サーバ３から送信されてきた利用状況に関する情報は、リストにタイトルを表示させるときの並び順を制御する表示制御情報としての機能を有する。【００２８】
以下、適宜、WEBページのタイトルなどを項目とするリストを表示させるソフトウエアをリスト表示用ソフトウエアという。リスト表示用ソフトウエアは、単独のアプリケーションとして用意するのではなく、WEBブラウザのプラグインの形として用意することも可能である。【００２９】
図２は、PC１のディスプレイに表示される画面の例を示す図である。【００３０】
図２の例においては、WEBブラウザのウインドウであるブラウザウインドウ１１が右側に表示され、リスト表示用ソフトウエアのウインドウであるリストウインドウ１２が左側に表示されている。【００３１】
ブラウザウインドウ１１の上方には、WEBページのURLが表示されるURL表示欄の他に、１つ前のWEBページに戻るときに操作されるボタンや１つ先のWEBページに進むときに操作されるボタンなどが設けられ、その下に、WEBページの表示領域であるWEBページ表示部１１Ａが設けられる。【００３２】
リストウインドウ１２にはリスト１２Ａが表示される。リスト１２Ａには、WEBページのタイトルが項目として表示される。このように、リスト１２Ａは、WEBページ表示部１１Ａとは異なる領域に表示される。【００３３】
図３は、リスト１２Ａの表示の具体例を示す図である。【００３４】
例えば、キーワード「ABC」に基づいて検索が行われた場合、リスト１２Ａには、図３に示されるようなWEBページのタイトルが項目として表示される。図３の例においては、「ABC放送  ABC Broadcasting」、「ABCクッキング  トップページ」、「ABC靴屋  トップページ」、「ABC英会話教室」、・・・が上から順に表示されている。【００３５】
図３に示される「ABC放送  ABC Broadcasting」、「ABCクッキング  トップページ」、「ABC靴屋  トップページ」、「ABC英会話教室」、・・・の並び順は、情報提供サーバ３から送信されてきた各WEBページの利用状況に関する情報に従って決定されたものである。【００３６】
図３に示される４つのWEBページに注目すると、検索サーバ２による検索結果において例えば「ABC英会話教室」、「ABC靴屋  トップページ」、「ABCクッキング  トップページ」、「ABC放送  ABC Broadcasting」の順番に挙げられていたとしても、アクセス数が「ABC放送  ABC Broadcasting」、「ABCクッキング  トップページ」、「ABC靴屋  トップページ」、「ABC英会話教室」の順に多いときには、その順番に並び替えられ、検索サーバ２により検索されたWEBページのタイトルは図３に示されるような順番で表示される。【００３７】
これにより、リスト１２Ａに表示されるWEBページのタイトルを、その情報の取得元の検索サーバ２とは異なるサーバである情報提供サーバ３から提供された情報に基づいて並べ替えることが可能になる。ユーザは、アクセス数が多い順に各WEBページをWEBページ表示部１１Ａに表示させ、閲覧することができる。【００３８】
ユーザは、マウスなどを操作して所定のタイトルの上にカーソルを移動させ、クリックを行うことでそのタイトルを選択し、リンク先のWEBページ（タイトルを選択したWEBページ）をWEBページ表示部１１Ａに表示させることができる。図３の例においては、「ABC放送  ABC Broadcasting」が選択されており、この場合、WEBページ表示部１１Ａには「ABC放送  ABC Broadcasting」のWEBページが表示される。「ABC放送  ABC Broadcasting」の欄に斜線が付されていることは、ユーザにより選択されるなどして「ABC放送  ABC Broadcasting」のWEBページが注目されていることを表している。【００３９】
リスト表示用ソフトウエアにはWEBページのスライドショー表示機能が設けられている。スライドショー表示の開始がユーザにより指示されたとき、リスト１２Ａに表示されているそれぞれのタイトルが上の方に表示されているものから順に注目され、それに応じてWEBページ表示部１１Ａに表示されるWEBページが切り替えられる。各WEBページの表示間隔は、２秒、５秒、１０秒といったようにユーザにより指定される。【００４０】
例えば、図３のリスト１２Ａが表示されている状態でスライドショー表示の開始が指示された場合、「ABC放送  ABC Broadcasting」、「ABCクッキング  トップページ」、「ABC靴屋  トップページ」、「ABC英会話教室」、・・・の順に、各WEBページがWEBページ表示部１１Ａに表示される。これにより、ユーザは、リストの中から自ら選択することなく、各WEBページの内容を確認することができる。【００４１】
WEBページ表示部１１Ａに表示するWEBページの切り替えは、マウスに設けられるホイールの回転操作によっても行うことが可能とされる。例えば、カーソルがリストウインドウ１２上（リストウインドウ１２の内側）にある場合、所定の量だけホイールが回転される毎に、リスト１２Ａにおいて注目するタイトルが切り替えられ、それに応じて、WEBページ表示部１１Ａの表示が切り替えられる。【００４２】
すなわち、上述したように「ABC放送  ABC Broadcasting」、「ABCクッキング  トップページ」、「ABC靴屋  トップページ」、「ABC英会話教室」、・・・の順にWEBページを表示させることは、カーソルをリストウインドウ１２の上に移動させ、その状態でホイールを手前方向に回転し続けることによっても実現される。なお、ホイールを奥方向に回転させる操作が行われたとき、手前方向に回転させる操作が行われたときと反対に、「ABC英会話教室」、「ABC靴屋  トップページ」、「ABCクッキング  トップページ」、「ABC放送  ABC Broadcasting」の順にWEBページが表示される。【００４３】
以上のようなリストを表示するPC１等の処理についてはフローチャートを参照して後述する。【００４４】
図４は、PC１の機能構成例を示すブロック図である。【００４５】
図４に示す機能部のうちの少なくとも一部は、PC１のCPU(Central Processing Unit)によりWEBブラウザとリスト表示用ソフトウエアが実行されることによって実現される。図４に示されるように、PC１においては、検索部５１、表示制御情報取得部５２、リスト表示制御部５３、およびWEBページ表示制御部５４が実現される。【００４６】
検索部５１は、キーボードやマウスを用いて行われるユーザの操作に応じてキーワードを取得し、図示せぬネットワークインタフェースを制御して検索サーバ２にアクセスしてWEBページの検索を要求する。検索部５１は、WEBページの検索結果の情報を検索サーバ２から取得し、取得した情報を表示制御情報取得部５２、リスト表示制御部５３、WEBページ表示制御部５４に出力する。【００４７】
表示制御情報取得部５２は、検索部５１から供給された情報に含まれる各WEBページのURLなどの、検索結果に関する情報を情報提供サーバ３に送信し、各WEBページの利用状況を問い合わせる。表示制御情報取得部５２は、問い合わせに応じて情報提供サーバ３から送信されてきたアクセス数などの情報を取得し、取得した情報を表示制御情報としてリスト表示制御部５３に出力する。【００４８】
リスト表示制御部５３は、検索部５１から供給された情報に含まれるWEBページの並び順を、表示制御情報取得部５２から供給された表示制御情報に従って例えばアクセス数が多い順になるように並び替え、並び替えた順に、WEBページのタイトルをリストに表示させる。また、リスト表示制御部５３は、そのようにして表示させたリストの表示をユーザによる操作に従って制御し、注目対象とするWEBページを切り替える。リスト表示制御部５３は、注目対象になっているWEBページの情報をWEBページ表示制御部５４に出力する。【００４９】
WEBページ表示制御部５４は、注目対象になっているWEBページをリスト表示制御部５３から供給された情報に基づいて特定し、注目対象になっているWEBページを表示するためのHTMLファイルなどの情報をWEBサーバ４から取得してWEBページをWEBページ表示部１１Ａに表示させる。WEBページ表示制御部５４は、WEBページの表示をユーザの操作に応じて適宜制御する。【００５０】
ここで、図５のフローチャートを参照して、以上のような構成を有するPC１を含む図１の通信システムにおいて行われる処理について説明する。【００５１】
ステップＳ２１において、PC１の検索部５１は、ユーザの操作に応じてキーワードを取得し、検索サーバ２にアクセスしてWEBページの検索を要求する。【００５２】
ステップＳ１において、検索サーバ２は、PC１からの要求を受信し、ステップＳ２において、WEBページの検索を行う。ステップＳ３において、検索サーバ２は、タイトル、検索サマリー、URLなどの各WEBページの情報を検索結果としてPC１に送信する。【００５３】
ステップＳ２２において、PC１の検索部５１は、検索結果として検索サーバ２から送信されてきた情報を受信し、受信した情報を表示制御情報取得部５２、リスト表示制御部５３、WEBページ表示制御部５４に出力する。【００５４】
ステップＳ２３において、表示制御情報取得部５２は、検索結果のWEBページに関する情報を情報提供サーバ３に送信し、検索結果として挙げられた各WEBページの利用状況を問い合わせる。【００５５】
ステップＳ１１において、情報提供サーバ３は、PC１から送信されてきたWEBページに関する情報を受信し、受信した情報に基づいて、検索結果として挙げられたWEBページを特定する。【００５６】
ステップＳ１２において、情報提供サーバ３は、特定したWEBページの利用状況に関する情報を取得する。情報提供サーバ３が有するデータベースにはWEBサーバ４が管理する全てのWEBページの利用状況に関する情報が記憶されており、その中から、検索結果として検索サーバ２により挙げられたWEBページの情報が取得される。ステップＳ１３において、情報提供サーバ３は利用状況に関する情報をPC１に送信する。【００５７】
ステップＳ２４において、PC１の表示制御情報取得部５２は、情報提供サーバ３から送信されてきた情報を受信し、受信した情報を表示制御情報としてリスト表示制御部５３に出力する。【００５８】
ステップＳ２５において、リスト表示制御部５３は、表示制御情報取得部５２から供給された表示制御情報に従ってWEBページの並び順を替え、並び替えた順で、各WEBページのタイトルをリストに表示させる。ユーザは、スライドショー表示を開始させたり、ホイールを回転操作させたりしてWEBページの閲覧を開始することができる。リストにおいて注目対象になっているWEBページの情報はリスト表示制御部５３からWEBページ表示制御部５４に供給される。【００５９】
ステップＳ２６において、WEBページ表示制御部５４は、WEBサーバ４にアクセスし、注目対象になっているWEBページの情報のダウンロードを要求する。【００６０】
ステップＳ３１において、WEBサーバ４はPC１からの要求を受信し、ステップＳ３２において、要求されたWEBページの情報をPC１に送信する。【００６１】
ステップＳ２７において、PC１のWEBページ表示制御部５４は、WEBサーバ４から送信されてきた情報を受信し、ステップＳ２８において、WEBページをWEBページ表示部１１Ａに表示させる。PC１においては、注目対象とする項目が切り替えられる毎にステップＳ２６乃至Ｓ２８の処理が繰り返される。【００６２】
以上の処理により、リストに表示されるWEBページの情報を、その情報の取得元のサーバとは異なるサーバから提供された情報に基づいて並べ替えることが可能になる。また、ユーザは、スライドショー機能を使ったり、リストウインドウ１２上にカーソルを移動させ、マウスのホイールの回転操作を行ったりして、そのように並び替えられた順番で各WEBページを閲覧することができる。【００６３】
以上においては、検索結果として挙げられたWEBページが、アクセス数の多い順に並び替えられる場合について主に説明したが、アクセス数の多い順ではなく、１回のアクセスあたりの閲覧ページ数、延べアクセス時間、お気に入りに登録された回数などの、他の利用状況に従って並び替えられるようにしてもよい。当然、アクセス数などの基準となる数の少ない順に並び替えられるようにすることも可能である。【００６４】
また、利用状況だけでなく、内容が更新されてからの経過時間が短い順（内容が新しい順）、ユーザにより入力されたキーワードをWEBページ内に多く含む順、WEBページ中で使用されている言語、WEBページの記述に用いられているドメインといったように、利用状況以外の変数に従って並び替えられるようにしてもよい。【００６５】
更新日時に従って並び替えられる場合、検索結果として挙げられたWEBページ全体が単に新しい順または古い順に並び替えられるだけでなく、ユーザにより指定された日時、または期間に更新されたWEBページが、新しい順または古い順に並び替えられるようにしてもよい。【００６６】
WEBページ中で使用されている言語に従って並び替えられる場合、例えば、日本語、英語、中国語などの言語別にWEBページがグループ分けされ、予め設定された所定の言語のグループに属するWEBページの順に並び替えられる。【００６７】
WEBページの記述に用いられているドメインに従って並び替えられる場合、例えば、セカンドレベルドメインに注目してアルファベット順に並べ替えられたり、トップレベルドメインに注目してcom,jp,netなどのトップレベルドメイン別にWEBページがグループ分けされ、所定のトップレベルドメインのグループに属するWEBページの順に並び替えられたりするといったように、ドメインの構成要素に注目して、予め設定された順に並び替えられるようにすることが可能である。【００６８】
項目としてリストに表示される情報が検索結果として挙げられたWEBページのタイトルであるとしたが、所定のサーバにリンク集のWEBページが用意されており、そのWEBページの情報が取得されるようになされている場合、リンク集のWEBページに掲載される、リンク先のWEBページのタイトルが項目として表示されるようにしてもよい。この場合、リストからタイトルが選択されることに応じて、リンク先のWEBページがWEBページ表示部１１Ａに表示されることになる。【００６９】
RSSリーダにより収集されたRSSコンテンツのタイトルや、掲示板に掲載されるそれぞれの書き込みのタイトルが項目として表示されるようにしてもよい。これらのタイトルにはリンク先が設定されており、リストから選択されたとき、リンク先のRSSコンテンツや書き込みがリストとは異なる領域に表示される。【００７０】
また、以上においては、リスト上で注目される項目がマウスのホイールの回転操作に応じて切り替えられるものとしたが、円形のタッチパッドの外周を指先で一定方向に回す操作に応じて切り替えられるようにしてもよいし、指紋認証デバイスがPC１に設けられている場合、指紋認証デバイスを指先でなぞる方向に応じて切り替えられるようにしてもよい。すなわち、所定の方向の操作を続けることで対象を切り替えることが可能な各種の入力装置に対する操作に応じて項目が切り替えられるようにすることが可能である。【００７１】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。【００７２】
プログラムのインストールは、光ディスクやメモリカードなどのリムーバブルメディアに記録して、あるいは、ローカルエリアネットワーク、インターネット、デジタル放送といった、有線または無線の伝送媒体を介して提供され、パーソナルコンピュータにインストールされる。【００７３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。また、インストール先の装置は、パーソナルコンピュータだけでなく、PDA(Personal Digital Assistants)、携帯電話機、ゲーム機などの各種の情報処理装置とすることも可能である。【００７４】
本発明の実施の形態は、上述した実施の形態に限定されるものではなく、本発明の要旨を逸脱しない範囲において種々の変更が可能である。
【図１】
2009150732.tif 000003
【図２】
2009150732.tif 000004
【図３】
2009150732.tif 000005
【図４】
2009150732.tif 000006
【図５】
2009150732.tif 000007
【国際調査報告】
2009150732.tif 000008
2009150732.tif 000009
2009150732.tif 000010
2009150732.tif 000011